(57)【要約】【課題】紙目に対して垂直方向に設けた場合にも紙向けなどを起こさずに、きれいに引き裂き可能な紙箱など紙器用の帯状の開封構造を提供すること。【解決手段】紙箱等の開口予定部に切れ刃によりミシン目状の切れ目線（１）を２本平行に設けた帯状の開封構造（１０）であって、切れ目線の１つの形状がＹの字を横にして２股部分の一方の切れ目線（ａ）は横棒の切れ目線（ｂ）に対して直角方向に向け、もう一方の切れ目線（ｃ）は横棒の切れ目線（ｂ）となす角度が１３５°とし、該直角方向に向けた切れ目線は帯の外側を向くように配置した変形Ｙの字形状であり、変形Ｙの字形状の切れ目線を横棒が同一線状に並ぶように同一方向につなぎ部分（ｔ）を介在させて連続して設けた。【選択図】図１
2004026178.tif 000002
【特許請求の範囲】
【請求項１】
紙箱等の開口予定部に切れ刃によりミシン目状の切れ目線を２本平行に設けた帯状の開封構造であって、
前記ミシン目状の切れ目線の切れ目線の１つの形状が、Ｙの字を横にして２股部分の一方の切れ目線は横棒（一）の切れ目線に対して直角方向に向け、もう一方の切れ目線は横棒（一）の切れ目線となす角度が１３５°とし、該直角方向に向けた切れ目線は帯の外側方向を向くように配置した変形Ｙの字形状であり、前記変形Ｙの字形状の切れ目線を、横棒（一）が同一線状に並ぶように同一方向につなぎ部分を介在させて連続して設けたことを特徴とする帯状の開封構造。
【請求項２】
前記２本のミシン目状の切れ目線は、帯の横方向の中心線に対して上下対称に設けられていることを特徴とする請求項１記載の帯状の開封構造。
【発明の詳細な説明】
【０００１】
【発明の属する技術分野】
本発明は紙箱など紙器の開口部に用いられる帯状の開封構造に関し、特には、紙目に対して垂直方向の力に対して効果のある帯状の開封構造に関する。
【０００２】
【従来の技術】
紙箱の開封構造の一つに、紙箱の開口部に、例えば、図３（ａ）、（ｂ）に示すような、ミシン目状の切れ目線を２本平行に設けた帯状構造（１００）があり、このような開封構造を備えた紙箱はジッパー付きカートンと呼ばれて菓子類、冷凍食品等を入れる容器として多用されている。
【０００３】
ミシン目状の切れ目線の形状は、くの字を横にして連続して並べたくの字状（図４（ａ）参照）、Ｔの字を横にして連続して並べたＴの字状（図４（ｂ）参照）、Ｙの字を横にして連続して並べたＹの字状（図４（ｃ）参照）等各種の形状が知られているが、いずれも紙目（紙の繊維の方向）（Ｋ）と平行にミシン目状の切れ目線（１）が設けられているため、つなぎ部分（ｔ）も紙の繊維に沿って切れ目線（ｓ）の延長で紙はきれいに引き裂かれる。
【０００４】
しかしながら、紙目に対して垂直にミシン目状の切れ目線を設けた場合には、図４（ａ）や図４（ｂ）のようなくの字状やＴの字状の開封構造の場合には、つなぎ部分（ｔ）からミシン目状の切れ目線に対して垂直方向（紙の繊維の方向）に切れる力が働いてミシン目状の切れ目線に沿って切れずに紙むけを起こしてしまうことが多い。
【０００５】
また図４（ｃ）のようなＹの字状の開封構造の場合には、紙むけは起こさないが、筒状に成形したり、軽く曲がった形状に成形した場合、Ｙの字の二股部分（Ｆ）が跳ね上がり、隣りのカートンとこすれやひっかかりを起こす可能性がある（図５参照）。
【０００６】
【発明が解決しようとする課題】
本発明は、紙目に対して垂直方向に設けるミシン目状の切れ目線を２本平行に設けた帯状の開封構造に関する以上のような問題点を解決するためになされたもので、紙目に対して垂直方向に設けた場合にも紙むけなどを起こさずに、きれいに引き裂き可能な紙箱など紙器用の帯状の開封構造を提供することを目的とする。
【０００７】
【課題を解決するための手段】
本発明の請求項１の発明は、紙箱等の開口予定部に切れ刃によりミシン目状の切れ目線を２本平行に設けた帯状の開封構造であって、前記ミシン目状の切れ目線の切れ目線の１つの形状が、Ｙの字を横にして２股部分の一方の切れ目線は横棒（一）の切れ目線に対して直角方向に向け、もう一方の切れ目線は横棒（一）の切れ目線となす角度が１３５°とし、該直角方向に向けた切れ目線は帯の外側方向を向くように配置した変形Ｙの字形状であり、前記変形Ｙの字形状の切れ目線を、横棒（一）が同一線状に並ぶように同一方向につなぎ部分を介在させて連続して設けたことを特徴とする帯状の開封構造である。
【０００８】
このように請求項１記載の発明によれば、ミシン目状の切れ目線の切れ目線の１つの形状が、Ｙの字を横にして２股部分の一方の切れ目線は横棒（一）の切れ目線に対して直角方向に向け、もう一方の切れ目線は横棒（一）の切れ目線となす角度が１３５°とし、該直角方向に向けた切れ目線は帯の外側方向を向くように配置した変形Ｙの字形状であり、前記変形Ｙの字形状の切れ目線を、横棒（一）が同一線状に並ぶように同一方向につなぎ部分を介在させて連続して設けたので、帯状の開封構造が紙目に対して垂直方向に設けられた場合であっても、帯の外側方向に向いている直角方向に曲げた切れ目線が切れ目の飛び出しやはね上がりを抑制し、外側への紙むけを阻止する効果がある。なお、内側への紙むけは１３５°の切れ目線で阻止している。
【０００９】
また、請求項２の発明は、請求項１の発明において、前記２本のミシン目状の切れ目線は、帯の横方向の中心線に対して上下対称に設けられていることを特徴とする紙箱の開封構造である。
【００１０】
このように請求項２記載の発明によれば、２本のミシン目状の切れ目線は、帯の横方向の中心線に対して上下対称に設けられているので、帯をミシン目状の切れ目線に沿って引き裂くと、きれいに平行に開口部が現れる。
【００１１】
【発明の実施の形態】
本発明の紙箱の開封構造を一実施形態に基づいて以下に詳細に説明する。
本発明の紙箱の開封構造は、例えば図１に示すように、紙箱等の開口部に切れ刃によりミシン目状の切れ目線（１）を２本平行に設けた帯状の開封構造（１０）である。
【００１２】
そして、ミシン目状の切れ目線の切れ目線の１つの形状は、Ｙの字を横にして２股部分の一方の切れ目線（ａ）は横棒（一）の切れ目線（ｂ）に対して直角方向に向け、もう一方の切れ目線（ｃ）は横棒（一）の切れ目線（ｂ）となす角度が１３５°とし、該直角方向に向けた切れ目線（ａ）は帯状の開封構造の外側方向を向くように配置した変形Ｙの字形状である。
【００１３】
この変形Ｙの字形状の切れ目線を、横棒（一）が同一線状に並ぶように同一方向につなぎ部分（ｔ）を介在させて連続して並べ、ミシン目状の切れ目線（１）としたものである。
【００１４】
図２はこのようにして作製した帯状の開封構造を紙容器の一つである円筒状の紙筒に取り付けた一実施例を示す、（ａ）は胴体部分の展開説明図であり、（ｂ）は組み立てた紙筒の斜視説明図である。
【００１５】
図２（ａ）、（ｂ）において、（１）は開口予定部に設けたミシン目状の切れ目線であり、（１０）は２本の平行なミシン目状の切れ目線に挟まれて形成された帯状の開封構造である。
【００１６】
２本の平行なミシン目状の切れ目線（１、１）は紙容器用ブランクの紙目に対して垂直方向に設けられている。
【００１７】
２本の平行なミシン目状の切れ目線は、互いに２股部分の一方の切れ目線（ａ）、横棒の切れ目線（ｂ）やつなぎ部分（ｔ）が同じ位置にくるように開封構造の横方向の中心線に対して上下対称に設けられている。
【００１８】
帯状の開封構造の開封開始個所（１１）を引っ張ると、ミシン目状の切れ目線に沿って平行に破れ、帯状の開封構造（１０）は２股部分の一方の切れ目線（帯の外側に向いている直角方向の切れ目線）（ａ）が切れ目の飛び出しやはね上がりを抑制し、外側への紙むけを阻止して、２本の平行なミシン目状の切れ目線（１、１）に沿って、帯状の開封構造（１０）はきれいに切れて開口部が表われる。
なお、変形Ｙの字形状の切れ目線の前に横棒（−）と同一線状に並ぶように破線等を設け、その部分を開封開始個所（１１）とすると、開封開始がよりし易くなる。
【００１９】
【発明の効果】
このように、本発明の帯状の開封構造を使用することにより、紙目に垂直に設けても、紙向けを断つことができ、きれいな開口が可能になる。
また、筒状に丸めた状態にしても切れ目部分で切れ目の飛び出し等がなく安全である。
【図面の簡単な説明】
【図１】本発明の帯状の開封構造の一実施例を示す、平面説明図である。
【図２】本発明の帯状の開封構造を開口部に用いた紙箱の一実施例を示す、（ａ）は紙箱の胴体部分の展開説明図であり、（ｂ）は斜視説明図である。
【図３】従来の帯状の開封構造を開口部に用いた紙箱の一実施例を示す、（ａ）は展開説明図であり、（ｂ）は斜視説明図である。
【図４】（ａ）〜（ｃ）は従来の帯状の開封構造の一例を示す、平面説明図である。
【図５】従来の帯状の開封構造の一つであるＹの字状の開封構造を円筒状紙箱に適用した場合の二股部分の状態を示す、説明図である。
【符号の説明】
１‥‥ミシン目状の切れ目線
１０‥‥帯状の開封構造
１１‥‥開封開始個所
２０‥‥紙箱等の紙器
１００‥‥従来の帯状の開封構造
ａ‥‥２股部分の一方の切れ目線
ｂ‥‥横棒の切れ目線
ｃ‥‥２股部分のもう一方の切れ目線
ｓ‥‥切れ目線
ｔ‥‥つなぎ部分
Ｆ‥‥２股部分
Ｋ‥‥紙目
【図１】
2004026178.tif 000003
【図２】
2004026178.tif 000004
【図３】
2004026178.tif 000005
【図４】
2004026178.tif 000006
【図５】
2004026178.tif 000007